【手続補正書】
【提出日】平成29年2月16日(2017.2.16)
【手続補正１】
【補正対象書類名】特許請求の範囲
【補正対象項目名】全文
【補正方法】変更
【補正の内容】
【特許請求の範囲】
【請求項１】
高アスペクト比タルクを、１個以上のエーテル結合を含む高分子種を含む表面処理剤で表面処理していることを特徴とする、表面処理高アスペクト比タルク(HART)。
【請求項２】
前記HARTが、少なくとも約3.0のラメラリティ指数を有する、請求項１記載の表面処理HART。
【請求項３】
前記HARTが、約1〜約4μmのd50を有する、請求項１または２のいずれか１項記載の表面処理HART。
【請求項４】
１個以上のエーテル結合を含む前記高分子種が、ポリエーテルまたはその誘導体である、請求項１〜３のいずれか１項記載の表面処理HART。
【請求項５】
前記表面処理高アスペクト比タルクが、タルクの質量基準で、約0.1〜約10質量%の表面処理剤を含む、請求項１〜４のいずれか１項記載の表面処理HART。
【請求項６】
前記表面処理高アスペクト比タルクが、タルクの質量基準で、約0.2〜約5質量%の表面処理剤を含む、請求項５記載の表面処理HART。
【請求項７】
請求項１〜６のいずれか１項に定義しているHARTと表面処理剤を適切な量で混合して、請求項１〜６のいずれか１項記載の表面処理HARTを得る工程を含む、表面処理HARTの製造方法。
【請求項８】
請求項１〜６のいずれか１項記載のまたは請求項７記載の方法によって得ることのできる表面処理HARTを含む、機能性組成物。
【請求項９】
前記機能性組成物が、ポリマー組成物である、請求項８記載の機能性組成物。
【請求項１０】
前記ポリマーが、ポリプロピレン、ポリエチレン、プロピレン-エチレンコポリマーまたはこれらの組合せから選ばれる、請求項９記載のポリマー組成物。
【請求項１１】
前記機能性組成物の総質量基準で、少なくとも約30質量%の表面処理HARTを含む、請求項８〜１０のいずれか１項記載の機能性組成物。
【請求項１２】
前記表面処理高アスペクト比タルク以外であって、且つ、アルカリ土類金属炭酸塩または硫酸塩；含水カンダイトクレー；無水(焼成)カンダイトクレー；雲母；パーライト；長石類；かすみ石せん長岩；ウラストナイト；珪藻土；バライト；ガラス；天然または合成のシリカまたはケイ酸塩：および2.8よりも低いラメラリティ指数を有するタルク；並びにこれらの組合せから選ばれる充填剤をさらに含む、請求項８〜１１のいずれか１項記載の機能性組成物。
【請求項１３】
ポリマー組成物の製造方法であって、請求項１〜６のいずれか１項記載のまたは請求項７記載の方法によって得ることのできる表面処理HARTを、ポリマーと、前記ポリマー組成物の総質量基準で、少なくとも約30質量%の量において混合する工程を含むことを特徴とする、前記ポリマー組成物の製造方法。
【請求項１４】
請求項１〜６のいずれか１項記載のまたは請求項７記載の方法によって得ることのできる表面処理HARTの、機能性組成物中の充填剤としての使用。
【請求項１５】
請求項９〜１２のいずれか１項記載のポリマー組成物から形成した、ポリマー複合体または物品。
【請求項１６】
下記の特性を有することを特徴とする、請求項９〜１２および１５のいずれか１項記載のポリマー組成物、または該組成物から形成したポリマー複合体もしくは物品：
(i) 表面処理剤で処理していない同じ量の高アスペクト比タルクを含むポリマー組成物または該組成物から形成したポリマー複合体もしくは物品の第２のノッチなしシャルピー衝撃強度(−20℃および／または−10℃および／または0℃における)よりも高い第１のノッチなしシャルピー衝撃強度(−20℃および／または−10℃および／または0℃における)；および／または、
(ii) 表面処理剤で処理していない同じ量の高アスペクト比タルクを含むポリマー組成物または該組成物から形成したポリマー複合体もしくは物品の第２のLTTSよりも高い第１のLTTS。
【手続補正２】
【補正対象書類名】明細書
【補正対象項目名】０１０６
【補正方法】変更
【補正の内容】
【０１０６】
４０質量％装填量、そして、2時間、6時間および16時間の乾燥においては、レシピ２b (未処理HART)から製造したプレートは、射出マークを示していた。しかしながら、射出マークは、レシピ１b (表面処理HART)から製造したプレートにおいては6時間および１６時間乾燥後では観察されず、2時間乾燥においては、射出マークの存在は有意に低減していた。
本発明のまた別の態様は、以下のとおりであってもよい。
〔１〕高アスペクト比タルクを、１個以上のエーテル結合を含む高分子種を含む表面処理剤で表面処理していることを特徴とする、表面処理高アスペクト比タルク(HART)。
〔２〕前記HARTが、少なくとも約3.0のラメラリティ指数を有する、前記〔１〕記載の表面処理HART。
〔３〕前記HARTが、約1〜約4μmのd50を有する、前記〔１〕または〔２〕のいずれか１項記載の表面処理HART。
〔４〕１個以上のエーテル結合を含む前記高分子種が、ポリエーテルまたはその誘導体である、前記〔１〕〜〔３〕のいずれか１項記載の表面処理HART。
〔５〕前記表面処理高アスペクト比タルクが、タルクの質量基準で、約0.1〜約10質量%の表面処理剤、例えば、約0.2〜約5質量%の表面処理剤を含む、前記〔１〕〜〔４〕のいずれか１項記載の表面処理HART。
〔６〕前記〔１〕〜〔５〕のいずれか１項に定義しているようなHARTと表面処理剤を適切な量で混合して、前記〔１〕〜〔５〕のいずれか１項記載の表面処理HARTを得る工程を含む、表面処理HARTの製造方法。
〔７〕前記〔１〕〜〔５〕のいずれか１項記載のまたは前記〔６〕記載の方法によって得ることのできる表面処理HARTを含む、機能性組成物。
〔８〕前記機能性組成物が、ポリマー組成物である、前記〔７〕記載の機能性組成物。
〔９〕前記ポリマーが、ポリプロピレン、ポリエチレン、プロピレン-エチレンコポリマーまたはこれらの組合せから選ばれる、前記〔８〕記載のポリマー組成物。
〔１０〕前記機能性組成物の総質量基準で、少なくとも約30質量%の表面処理HART、例えば、少なくとも約35質量%の表面処理HART、例えば、少なくとも約40質量%の表面処理HARTを含む、前記〔７〕〜〔９〕のいずれか１項記載の機能性組成物。
〔１１〕前記表面処理高アスペクト比タルク以外であって、且つ、炭酸カルシウム、炭酸マグネシウム、ドロマイト、石膏のようなアルカリ土類金属炭酸塩または硫酸塩；カオリン、ハロイサイトまたはボールクレーのような含水カンダイトクレー；メタカオリンまたは完全焼成カオリンのような無水(焼成)カンダイトクレー；雲母；パーライト；長石類；かすみ石せん長岩；ウラストナイト；珪藻土；バライト；ガラス；天然または合成のシリカまたはケイ酸塩：および2.8よりも低いラメラリティ指数を有するタルク；並びにこれらの組合せから選ばれる充填剤をさらに含む、前記〔７〕〜〔１０〕のいずれか１項記載の機能性組成物。
〔１２〕ポリマー組成物の製造方法であって、前記〔１〕〜〔５〕のいずれか１項記載のまたは前記〔６〕記載の方法によって得ることのできる表面処理HARTを、ポリマーと、前記ポリマー組成物の総質量基準で、少なくとも約30質量%の量において、例えば、少なくとも約35質量%の表面処理HART量において、例えば、少なくとも約40質量%の表面処理HART量において混合する工程を含むことを特徴とする、前記ポリマー組成物の製造方法。
〔１３〕前記〔１〕〜〔５〕のいずれか１項記載のまたは前記〔６〕記載の方法によって得ることのできる表面処理HARTの、機能性組成物中の充填剤、例えば、増量充填剤または機能性充填剤としての使用。
〔１４〕前記〔８〕〜〔１１〕のいずれか１項記載のポリマー組成物から形成した、例えば、押出加工または成型したポリマー複合体または物品。
〔１５〕下記の特性を有することを特徴とする、前記〔８〕〜〔１１〕および〔１４〕のいずれか１項記載のポリマー組成物、または該組成物から形成したポリマー複合体もしくは物品：
(i) 表面処理剤で処理していない同じ量の高アスペクト比タルクを含むポリマー組成物または該組成物から形成したポリマー複合体もしくは物品の第２のノッチなしシャルピー衝撃強度(−20℃および／または−10℃および／または0℃における)よりも高い第１のノッチなしシャルピー衝撃強度(−20℃および／または−10℃および／または0℃における)；および／または、
ii) 表面処理剤で処理していない同じ量の高アスペクト比タルクを含むポリマー組成物または該組成物から形成したポリマー複合体もしくは物品の第２のLTTSよりも高い第１のLTTS。